(57)【要約】【課題】反転編を要することなく連続して筒状に編成することで、膨らみ形状をなす踵部を形成でき、しかも製編上の目落ちや伝線等も少なく、製編効率を高めることができるくつ下を提供する。【解決手段】くつ下におけるレッグ部２、踵部３、足甲部４及び足裏部５を筒状に連続して編成し、レッグ部２、足甲部４及び足裏部５における少なくとも踵部周辺領域を組織的に収縮の大きい編組織で編成し、踵部３を踵部周辺領域の編組織よりも組織的に収縮の小さい編組織で編成することにより、踵部３に膨らみを付与する。【選択図】図１
2008303515.tif 000002
【特許請求の範囲】
【請求項１】
くつ下におけるレッグ部、踵部、足甲部及び足裏部が筒状に連続して編成されてなり、前記レッグ部、足甲部及び足裏部における少なくとも前記踵部周辺領域が組織的に収縮の大きい編組織で編成されるとともに、前記踵部が前記踵部周辺領域の編組織よりも組織的に収縮の小さい編組織で編成されることにより、前記踵部に膨らみが付与されてなることを特徴とするくつ下。
【請求項２】
前記レッグ部、踵部、足甲部及び足裏部が同じ又は複数の組合せによる同じ編糸により連続して編成されてなる請求項１に記載のくつ下。
【請求項３】
前記踵部には、１もしくは複数コース毎に、前記レッグ部、踵部、足甲部及び足裏部を編成する編糸とは別にボス糸が編み込まれてなる請求項１又は２に記載のくつ下。
【請求項４】
前記レッグ部、足甲部及び足裏部における少なくとも前記踵部周辺領域の編組織は、複数コースの連続フロート編による凸部が所要間隔毎に多数形成された編組織である請求項１〜３のいずれか１項に記載のくつ下。
【請求項５】
前記足裏部には、連続フロート編による周方向の凸部が多数並列して形成された編組織を有し、該足裏部の凸部を形成する前記連続フロート編のコース数が３〜２５コースである請求項１〜４のいずれか１項に記載のくつ下。
【請求項６】
前記足裏部には、１もしくは複数コース毎に、前記レッグ部、踵部、足甲部及び足裏部を編成する編糸とは別にボス糸が編み込まれてなる請求項１〜５のいずれか１項に記載のくつ下。
【請求項７】
前記レッグ部、踵部、足甲部及び足裏部を編成する編糸が弾性糸よりなる請求項１〜６のいずれか１項に記載のくつ下。
【請求項８】
くつ下編機によるくつ下の製編において、くつ下のレッグ部から、踵部、足甲部及び足裏部を連続して筒状に編成することとし、前記レッグ部、足甲部及び足裏部における少なくとも前記踵部周辺領域を、該踵部より組織的に収縮の大きい編組織で編成するとともに、踵部では前記踵部周辺領域の編組織より組織的に収縮の小さい編組織で編成することにより、踵部に膨らみを付与することを特徴とするくつ下の製造方法。
【発明の詳細な説明】
【技術分野】
【０００１】
本発明は、くつ下編機により製編されるソックスやストッキング等のくつ下、特には、踵部の構成形態に特徴のあるくつ下及びその製造方法に関するものである。
【背景技術】
【０００２】
例えば、ソックス、ストッキング（パンティーストッキングを含む）等のくつ下は、丸編機を利用した専用のくつ下編機、すなわち多数本の編針が上下動可能に配された正逆回転可能な円筒状のシリンダー（針釜）を備えるくつ下編機により製編されるもので、例えばソックスの場合は、上端開口部、レッグ部、踵部、足甲部、足裏部及びトウ部からなる（特許文献１及び特許文献２）。
【０００３】
くつ下の製編においては、通常、図７に示すくつ下の履き口となる開口部２１の側から、レッグ部２２、踵部２３、足甲部２４と足裏部２５及びトウ部２６の順に編成するもので、前記レッグ部２２と踵部２３との境界部までは、前記シリンダーの一方向の回転（正転）により筒状に編成し、踵部２３においては、前記レッグ部２２に続いて足甲部２４を編成する側の回転角度範囲（約半周分）では編成を行わないように編針を保持しておいて、踵部２３を編成する側の約半周分の編針により、前記シリンダーをコース毎に逆方向に往復回転（反転）させて所謂反転編を行い、踵部２３としての必要な膨らみをつけるように編成する。この際、踵部２３としての強度保持等のために、踵部２３では前記編糸を強度のある別の糸に切り換えて編成するのが普通である。そして、前記踵部２３の編成が完了すると、元の編糸に切り換えて、前記シリンダーの正転により前記レッグ部に連続する足甲部２４及び前記踵部２３に連続する足裏部２５を筒状に編成し、さらにトウ部２６を編成し、最終的に該トウ部２６の開口部を閉じて編成が完了する。
【０００４】
前記のように、従来のくつ下の製編においては、踵部がシリンダーの往復回転による反転編により形成され、かつ、糸の切り換えを要するものであるため、製編効率の向上を望めず、また糸素材の切り換えのために、製編上において目落ち、伝線等が生じるおそれがあり、生産性が阻害される結果となっている。また、レッグ部と踵部とに糸素材の違いによる色差が生じ、外観的に不体裁になる上、踵部とレッグ部及び足裏部との境界部における糸素材の切り換えによる継ぎ目２７、２８の部分が弱くなって解れが生じやすくなり、使用上の耐久性に問題がある。
【特許文献１】登録実用新案第３０５８７８３号公報
【特許文献２】登録実用新案第３０６１３３４号公報
【発明の開示】
【発明が解決しようとする課題】
【０００５】
本発明は、上記従来のくつ下の製編における踵部での反転編や糸の切り換えによる問題を解決するためになしたもので、全体を同じ又は複数の組合せによる同じ編糸で反転編を要することなく連続して筒状に編成することで、膨らみ形状をなす踵部を形成でき、しかも製編上の目落ちや伝線等も少なく、製編効率を高めることができ、さらに、踵部とレッグ等の他部分との一体性がよく、また目立った色差も生じず、外観的体裁や耐久性にも優れるくつ下、並びに該くつ下を効率よく生産できる製造方法を提供するものである。
【課題を解決するための手段】
【０００６】
上記した課題を解決する本発明のくつ下は、くつ下におけるレッグ部、踵部、足甲部及び足裏部が筒状に連続して編成されてなり、前記レッグ部、足甲部及び足裏部における少なくとも前記踵部周辺領域が組織的に収縮の大きい編組織で編成されるとともに、前記踵部が前記踵部周辺領域の編組織よりも組織的に収縮の小さい編組織で編成されることにより、前記踵部に膨らみが付与されてなることを特徴とする。通常は、前記レッグ部、踵部、足甲部及び足裏部が同じ又は複数の組合せによる同じ編糸により連続して編成されてなる。
【０００７】
この発明のくつ下によれば、レッグ部から足甲部及び足裏部までの全体、特に踵部を含む全体が筒状に連続して編成されているにも拘わらず、編立て上がり状態においては、組織的に収縮の小さい編組織の踵部が、これより収縮の大きい編組織の踵部周辺領域に比して膨らみ形状を呈することになり、外観及び強度的に従来の反転編による踵部と遜色のない踵部が形成される。
【０００８】
しかも、くつ下の製編上においては、編機シリンダーを復回転させる反転編さらには糸の切り換えを必要とせず、編組織を変化させるだけで容易に踵部を編成できる。また、そのため、踵部とレッグ部や足裏部との境界に糸の切り換えによる継ぎ目が生じず、製編上における目落ちや伝線の発生、及び使用上における解れのおそれがなく、また踵部と他部分とに糸素材の違いによる目立った色差が生じることもない。
【０００９】
前記のくつ下において、前記踵部には、１もしくは複数コース毎に、前記レッグ部、踵部、足甲部及び足裏部を編成する編糸とは別にボス糸が編み込まれてなるものが好ましい。この場合、前記ボス糸により踵部を補強でき、踵部の強度を高めることができる。
【００１０】
また、前記のくつ下において、前記レッグ部、足甲部及び足裏部における少なくとも前記踵部周辺領域の編組織は、複数コースの連続フロート編よる凸部が所要間隔毎に多数形成された編組織であるものとすることができる。これにより、少なくとも前記踵部周辺領域において大きく収縮させることができ、踵部の膨らみ形状をさらに明瞭に現出させることができる。
【００１１】
前記足裏部には、連続フロート編による周方向の凸部が多数並列して形成された編組織を有し、該足裏部の凸部を形成する前記連続フロート編のコース数が３〜２５コースであるものとするのが好ましい。これにより、前記連続フロート編による凸部が比較的大きく形成でき、編立て上がり状態での収縮が大きくなる上、前記凸部が足裏に対し指圧マッサージ効果を与えるとともに、滑り止めの効果も呈するものになる。
【００１２】
前記足裏部には、１もしくは複数コース毎に、前記レッグ部、踵部、足甲部及び足裏部を編成する編糸とは別にボス糸が編み込まれてなるものが好ましく、これにより、前記足裏部を補強できるとともに、前記凸部に適度の硬さを与え、前記指圧マッサージ効果や滑り止め効果を更に高めることができる。また、ボス糸の素材の選択により、各種の機能を付与することができる。例えば、抗菌防臭糸を使用することにより、抗菌及び防臭機能を付与できる。
【００１３】
前記のくつ下において、前記レッグ部、踵部、足甲部及び足裏部を編成する編糸が弾性糸よりなるものが好ましく、これにより、くつ下全体に伸縮性を付与でき、着用時のフィット性や着圧を良好に保持できる。
【００１４】
また、本発明は、前記のくつ下の製造方法として、くつ下編機によるくつ下の製編において、くつ下のレッグ部から、踵部、足甲部及び足裏部を連続して筒状に編成することとし、前記レッグ部、足甲部及び足裏部における少なくとも前記踵部周辺領域を、該踵部より組織的に収縮の大きい編組織で編成するとともに、踵部では前記踵部周辺領域の編組織より組織的に収縮の小さい編組織で編成することにより、踵部に膨らみを付与することを特徴とする。
【００１５】
これにより、前記のくつ下をくつ下編機により、踵部においても反転編することなく、また糸の切り換えを要することなく、前記の踵部に膨らみを付与したくつ下を容易に効率良く製編できる。
【発明の効果】
【００１６】
本発明のくつ下及びその製造方法によれば、全体を同一の編糸で反転編を要することなく、また糸の切り換えも要することなく連続して筒状に編成することで、膨らみ形状をなす踵部を容易に形成でき、しかも製編上の目落ちや伝線等も少なく、製編効率を高めることができる。さらに、前記のように糸の切り換えを要しないため、踵部とレッグ部等の他部分との一体性がよく、また目立った色差も生じることがなく、外観的体裁や耐久性にも優れるくつ下を得ることができ、この種のくつ下の生産性を向上できる。
【発明を実施するための最良の形態】
【００１７】
次に本発明の実施の形態を図面に示す実施例を参照して説明する。図１は本発明の一実施例のくつ下を示す略示側面図、図２は同上のくつ下の足裏部の側からみた略示正面図、図３は本発明のくつ下の踵部周辺領域の拡大した組織図を示している。図４は他の実施例を示す略示側面図である。図５は連続フロート編の組織説明図、図６はボス糸を編み込む場合の組織説明図である。
【００１８】
図示する実施例のくつ下Ａは、ソックスの場合を示し、同図中の符号１は履き口となる上端の開口部、２はレッグ部、３は踵部、４は足甲部、５は足裏部、６はトウ部を示している。
【００１９】
このくつ下Ａは、基本的に、従来と同様に、丸編機を利用したくつ下編機を用いて、前記開口部１の側から、レッグ部２、踵部３、足甲部４と足裏部５及びトウ部６が順次編成されるが、特に、本発明の場合は、前記踵部３の編成においても、編機シリンダーを往復回転させる所謂反転編をすることなく、前記レッグ部２、踵部３、足甲部４及び足裏部５の全体が、例えば１本もしくは複数本の同じ又は複数の組合せによる同じ編糸により筒状に連続して編成されている。通常、前記編糸には後述するように弾性糸が用いられる。
【００２０】
そして、前記踵部３を所定の膨らみ形状をなすように形成するために、本発明では、前記レッグ部２、足甲部４及び足裏部５における少なくとも前記踵部周辺領域、例えば図のように、前記レッグ部２、足甲部４及び足裏部５の全域が、糸素材の弾性による収縮とは別に組織的に収縮の大きい編組織で編成されるとともに、前記踵部３が前記踵部周辺領域の編組織よりも組織的に収縮の小さいプレーンな編組織、通常は組織的には殆ど収縮しない平編組織で編成されており、これにより、編立て上がり状態において前記踵部３に膨らみが付与されている。
【００２１】
前記の踵部３は、着用時に、踵の少なくとも足裏側を包皮できる広さ、好ましくは足裏側から踝近くまでを包皮できる広さを有するものとし、その形状は、例えば図のような略楕円形をなすものには限らず、踵の形状に対応した種々の形状による実施が可能である。通常は、図のように前記踵部３から前記足裏部５が連続して形成される。前記踵部３は、くつ下全体を編む前記編糸のみにより編成することも可能であるが、実施上は、１もしくは複数コース毎、好ましくは各コース毎に、前記編糸とは別にボス糸をカットボスとして添え糸編等の手法によって編み込んでおくのが、該踵部３を補強でき好ましい。図５は、ボス糸の編み込みの１例を示しており、ベースとなる編組織の編糸Ｙ１に対して、これとは別のボス糸Ｙ２をカットボスとして添え糸編の手法で編み込んでおり、該ボス糸Ｙ２の端部Ｙ２ａは所要の長さにカットされて、編地の裏側（くつ下内側）に残されている。
【００２２】
前記組織的に収縮の大きい編組織としては、編立て上がり状態において収縮の小さい編組織の踵部３よりも、組織的に大きく収縮するものであれば、どのような編組織であってもよいが、実施上は、図６に例示するような連続フロート編、すなわち複数コースのウエルトループ１１ａを形成する連続フロート編の部分１１によって形成される凸部７、８が所要間隔毎に多数形成されて収縮した凹凸のある編組織が好適である。
【００２３】
例えば、前記レッグ部２及び足甲部４の収縮の大きい編組織としては、平編をベースにして、所要コース毎に複数コース、好ましくは２〜２０コースのウエルトループが形成された連続フロート編の部分が編幅方向に適宜の間隔をおいて並んだ組織で、編立て後に連続フロート編の部分が編方向に収縮することにより周方向の畝状をなす凸部７が多数形成されてなる凹凸のある編組織とする。この場合、前記凸部７が着用者の脚を刺激して指圧マッサージ効果を発揮でき、脚のむくみ解消等の効果を発揮できることにもなる。図３の組織図において、１１は前記レッグ部２及び足甲部４における凸部７を形成する連続フロート編の部分を示し、１２は平編の部分を示している。
【００２４】
前記の凸部７は、必ずしも周方向に直線状に連続する畝状をなすものである必要はなく、周方向に波状をなして連続する凸部、斜めの畝状をなす凸部、周方向に断続した凸部、千鳥状に配置形成された凸部、或いはこれらの凸部の組み合わせからなるもの等、種々の形態の凸部による実施が可能である。また、前記凸部７は、必ずしも前記レッグ部２及び足甲部４の全域にわたって一様に形成する必要はなく、例えば図４の例のように、編み方向に間隔をおいて柄的に配置形成する等、少なくとも前記踵部３の周辺領域に配置されておればよい。
【００２５】
前記踵部周辺領域としては、筒状編成する編立て方向において、図４の例のように、前記踵部３よりもやや広いコース範囲の領域で、該踵部３及び該踵部３とは反対側の前記足甲部４を含む範囲９とし、該範囲９の収縮により前記踵部３に膨らみを収縮できるものとする。
【００２６】
また、前記足裏部５の収縮の大きい編組織としては、例えば、前記レッグ部２等と同様に、平編をベースにして、所要コース毎に３〜２５コースのウエルトループが形成された連続フロート編の部分が適宜の間隔をおいて並んだ組織で、編立て後に連続フロート編の部分が編方向に収縮することにより前記レッグ部２等の凸部７よりも少し高めの周方向の畝状をなす凸部８が形成されてなる凹凸のある編組織とする。この場合、やや高めの前記凸部８が着用者の足裏を刺激し、良好な竹踏みのような感覚のマッサージ効果を発揮し、疲労を緩和する効果がある。図３の組織図において、１３は前記足裏部５において凸部８を形成する連続フロート編の部分を示し、１４は平編の部分を示している。
【００２７】
この足裏部５の前記凸部８についても、周方向に直線状に連続する畝状をなすものに限らず、周方向に波状をなすものや斜めの畝状をなす凸部、断続した凸部、千鳥状に配置形成された凸部、或いはこれらの凸部の組み合わせからなるもの等、種々の形態の凸部による実施が可能である。また、前記凸部８は、必ずしも足裏部５の全域に形成する必要はなく、部分的に形成しておくことも可能であり、少なくとも前記踵部３の周辺領域名に配置されておればよい。
【００２８】
この足裏部５には、前記踵部３と同様に、１もしくは複数コース毎、好ましくは各コース毎に、上記した踵部３の場合と同様に、ベースと編組織の編糸とは別に、該編糸とは別の機能を持つボス糸（図示せず）を編み込んでおくのが好ましい。すなわち、前記ボス糸により足裏部５を補強できるとともに、前記凸部８による指圧マッサージ効果や滑り止めの効果を高めることができ、また該ボス糸により各種の機能を与えることができ、例えば、抗菌防臭糸を使用することにより、抗菌及び防臭機能を付与できることになる。
【００２９】
前記の足裏部５については、足裏側における前記踵部３及びトウ部６の領域を除く部分に略対応するもので、足裏側と略同幅のものであってもよいが、図示する実施例の場合は、前記凸部８を形成し及び／又はボス糸を編み込んで、足甲部４側とは編組織を変化させる領域を、足裏側の幅より若干狭く設定し、さらには足裏の形状に対応させるように、トウ部６に近い側ほどやや幅広に設定している。
【００３０】
なお、図示はしていないが、前記踵部３の領域のうち、前記レッグ部２や足甲部４等の他部分との境界の内側に沿う帯域に組織変化の緩衝の役目を果たすフロート編を点在させて実施することができる。
【００３１】
上記のくつ下Ａに使用する編糸としては、ポリウレタン弾性糸にナイロンフィラメントをカバリングしたシングルカバードヤーン又はダブルカバードヤーン等の弾性糸が好適に使用される。弾性糸を使用することにより、くつ下全体に適度に伸縮性を付与でき、着用時のフィット性や着圧を良好に保持できる。使用する弾性糸の太さは、製造対象のくつ下の態様に応じて適宜設定でき、例えば４０〜数百ｄｔｅｘの糸が使用される。
【００３２】
上記したように本発明のくつ下Ａは、くつ下編機によるくつ下の製編において、編機シリンダー同方向に回転させる正転編で、全体を同じ編糸により筒状に連続して編成することとして、前記レッグ部２、足甲部４及び足裏部５における少なくとも前記踵部周辺領域を、前記したように例えば凹凸を有する組織的に収縮の大きい編組織で編成するとともに、踵部３では前記踵部周辺領域の編組織よりも組織的に収縮の小さい編組織、例えば平編組織で編成する。
【００３３】
このため、踵部３を含む全体が同じ編糸により連続して筒状に編成されているにも拘わらず、編立て上がり状態においては、組織的に収縮の小さい編組織の踵部３が、これよりも収縮の大きい編組織の踵部周辺領域に比して膨らみ形状を呈することになり、外観および強度的に従来の反転編による踵部と遜色のない踵部３が形成される。しかも、くつ下Ａの製編上においては、踵部３を形成するために、編機シリンダーの往復回転による反転編および糸の切り換えを必要とせず、編組織を変化させるだけで容易に編成できるため、踵部３とレッグ部２や足裏部５の境界に糸の切り換えによる継ぎ目が生じず、製編上における目落ちや伝線の発生、及び使用上における解れのおそれがなく、また踵部３と他部分とに糸素材の違いによる目立った色差が生じることもない。そのため、外観的体裁や耐久性にも優れるくつ下を得ることができ、この種のくつ下の生産性を向上できる。
【産業上の利用可能性】
【００３４】
本発明は、ソックス、パンティーストッキングを含むストッキング等の各種のくつ下に好適に利用できる。
【図面の簡単な説明】
【００３５】
【図１】本発明の一実施例のくつ下を示す略示側面図である。
【図２】同上のくつ下の足裏部の側からみた略示正面図である。
【図３】本発明のくつ下の踵部周辺領域の拡大した組織図である。
【図４】本発明の他の実施例を示す略示側面図である。
【図５】連続フロート編の組織説明図である。
【図６】ボス糸を編み込む場合の組織説明図である。
【図７】従来のくつ下を示す略示側面図である。
【符号の説明】
【００３６】
Ａ…くつ下、１…開口部、２…レッグ部、３…踵部、４…足甲部、５…足裏部、６…トウ部、７，８…凸部、１１…連続フロート編の部分、１２…平編の部分、１３…連続フロート編の部分、１４…平編の部分、Ｙ１…編糸、Ｙ２…ボス糸。
【図１】
2008303515.tif 000003
【図２】
2008303515.tif 000004
【図３】
2008303515.tif 000005
【図４】
2008303515.tif 000006
【図５】
2008303515.tif 000007
【図６】
2008303515.tif 000008
【図７】
2008303515.tif 000009
【手続補正書】
【提出日】平成19年10月25日(2007.10.25)
【手続補正１】
【補正対象書類名】明細書
【補正対象項目名】００１７
【補正方法】変更
【補正の内容】
【００１７】
次に本発明の実施の形態を図面に示す実施例を参照して説明する。図１は本発明の一実施例のくつ下を示す略示側面図、図２は同上のくつ下の足裏部の側からみた略示正面図、図３は本発明のくつ下の踵部周辺領域の拡大した組織図を示している。図４は他の実施例を示す略示側面図である。図５はボス糸を編み込む場合の組織説明図、図６は連続フロート編の組織説明図である。
【手続補正２】
【補正対象書類名】明細書
【補正対象項目名】００３５
【補正方法】変更
【補正の内容】
【００３５】
【図１】本発明の一実施例のくつ下を示す略示側面図である。
【図２】同上のくつ下の足裏部の側からみた略示正面図である。
【図３】本発明のくつ下の踵部周辺領域の拡大した組織図である。
【図４】本発明の他の実施例を示す略示側面図である。
【図５】ボス糸を編み込む場合の組織説明図である。
【図６】連続フロート編の組織説明図である。
【図７】従来のくつ下を示す略示側面図である。